(57)【要約】【課題】複数の検査項目の検査データのグラフに対して、検査データの数値などのデータラベルを付して表示する際、そのデータラベルの数値やグラフ自体を見難くすることなく、かつ重要なデータラベルを付する。【解決手段】時系列で取得された複数の検査項目の検査データを取得する診療情報取得部１１（検査データ取得部）と、診療情報取得部１１によって取得された各検査項目の検査データをグラフ表示させる表示制御部１３とを備え、表示制御部１３が、各検査項目のグラフにおける変化点のみにデータラベルを付して表示させる。【選択図】図４
2014194712.tif 000002
【特許請求の範囲】
【請求項１】
時系列で取得された複数の検査項目の検査データを取得する検査データ取得部と、該検査データ取得部によって取得された各検査項目の検査データをグラフ表示させる表示制御部とを備えた検査データ表示制御装置であって、
前記表示制御部が、前記各検査項目のグラフにおける変化点のみにデータラベルを付して表示させるものであることを特徴とする検査データ表示制御装置。
【請求項２】
前記変化点が、前記グラフの傾きが正から負または負から正に変化する点であることを特徴とする請求項１記載の検査データ表示制御装置。
【請求項３】
前記変化点が、前記検査データが異常値から正常値に変化した点または正常値から異常値に変化した点であることを特徴とする請求項１または２記載の検査データ表示制御装置。
【請求項４】
前記変化点が、前記検査データの変化量が予め設定された閾値より大きく変化した点であることを特徴とする請求項１から３いずれか１項記載の検査データ表示制御装置。
【請求項５】
前記表示制御部が、前記変化点のうち異常値の前記検査データの点に対してのみ前記データラベルを付するものであることを特徴とする請求項１から４いずれか１項記載の検査データ表示制御装置。
【請求項６】
前記表示制御部が、前記変化点に加えて、さらに各検査項目のグラフの最大値、最小値および該グラフの端点のうちの少なくとも１つの点に前記データラベルを付するものであることを特徴とする請求項１から５いずれか１項記載の検査データ表示制御装置。
【請求項７】
前記表示制御部が、前記データラベルとして前記検査データの数値を付するものであることを特徴とする請求項１から６いずれか１項記載の検査データ表示制御装置。
【請求項８】
前記表示制御部が、前記データラベルとして色付けされたマークを付するものであることを特徴とする請求項１から６いずれか１項記載の検査データ表示制御装置。
【請求項９】
前記表示制御部が、前記検査データの表示期間を変更可能なものであることを特徴とする請求項１から８いずれか１項記載の検査データ表示制御装置。
【請求項１０】
時系列で取得された複数の検査項目の検査データを取得し、該取得した各検査項目の検査データをグラフ表示させ検査データ表示制御方法であって、
前記各検査項目の検査データをグラフ表示する際、前記各検査項目のグラフにおける変化点のみにデータラベルを付して表示させることを特徴とする検査データ表示制御方法。
【請求項１１】
コンピュータを、時系列で取得された複数の検査項目の検査データを取得する検査データ取得部と、該検査データ取得部によって取得された各検査項目の検査データをグラフ表示させる表示制御部として機能させる検査データ表示制御プログラムであって、
前記表示制御部が、前記各検査項目のグラフにおける変化点のみにデータラベルを付して表示させるものであることを特徴とする検査データ表示制御プログラム。
【発明の詳細な説明】
【技術分野】
【０００１】
本発明は、時系列に取得された複数の検査項目の検査データを表示させる検査データ表示制御装置および方法並びにプログラムに関するものである。
【背景技術】
【０００２】
近年、医師によって診療が行われる際、患者に対して実施された複数の検査結果をディスプレイに表示させ、病名の診断や治療方針などを決定するための参考情報として利用されている。
【０００３】
患者に実施される検査には様々な種類があり、実際の医療現場では、患者に特定の疾患が疑われるときには、その特定の疾患の診断に重要と考えられている複数の検査項目の各検査結果を参照して、診断または治療を行っている。
【０００４】
ここで、上述したような複数の検査項目の検査結果をグラフとしてディスプレイに表示する際、そのグラフの検査データに対してその数値を付して表示することが提案されている（たとえば特許文献１参照）。
【先行技術文献】
【特許文献】
【０００５】
【特許文献１】特開２０１０−１２８８５６号公報
【発明の概要】
【発明が解決しようとする課題】
【０００６】
しかしながら、患者に対して実施される検査項目が多数に亘る場合があり、特に、患者が複数の疾患を患っている場合には、さらに検査項目が増えることになる。したがって、その多数の検査項目のグラフの検査データを全て数値で表示するようにしたのでは、その数値同士が重なりあったりして非常に見難い表示となってしまう。特に、検査データの表示期間を長く設定してグラフ表示させた場合には、限られた表示領域内に多数の検査データがプロットされることになるため、その数値は益々見難いものとなり、グラフも確認し難いという問題がある。
【０００７】
本発明は、上記事情に鑑み、複数の検査項目の検査データのグラフに対して、検査データの数値などのデータラベルを付して表示する際、そのデータラベルの数値やグラフ自体を見難くすることなく、かつ重要なデータラベルを付することができる検査データ表示制御装置および方法並びにプログラムを提供することを目的とするものである。
【課題を解決するための手段】
【０００８】
本発明の検査データ表示制御装置は、時系列で取得された複数の検査項目の検査データを取得する検査データ取得部と、検査データ取得部によって取得された各検査項目の検査データをグラフ表示させる表示制御部とを備えた検査データ表示制御装置であって、表示制御部が、各検査項目のグラフにおける変化点のみにデータラベルを付して表示させるものであることを特徴とする。
【０００９】
また、上記本発明の検査データ表示制御装置においては、変化点を、グラフの傾きが正から負または負から正に変化する点とできる。
【００１０】
また、変化点を、検査データが異常値から正常値に変化した点または正常値から異常値に変化した点とできる。
【００１１】
また、変化点を、検査データの変化量が予め設定された閾値より大きく変化した点とできる。
【００１２】
また、表示制御部を、上記変化点のうち異常値の検査データの点に対してのみデータラベルを付するものとできる。
【００１３】
また、表示制御部を、変化点に加えて、さらに各検査項目のグラフの最大値、最小値およびそのグラフの端点のうちの少なくとも１つの点にデータラベルを付するものとできる。
【００１４】
また、表示制御部を、データラベルとして検査データの数値を付するものとできる。
【００１５】
また、表示制御部を、データラベルとして色付けされたマークを付するものとできる。
【００１６】
また、表示制御部を、検査データの表示期間を変更可能なものとできる。
【００１７】
本発明の検査データ表示制御方法は、時系列で取得された複数の検査項目の検査データを取得し、その取得した各検査項目の検査データをグラフ表示させ検査データ表示制御方法であって、各検査項目の検査データをグラフ表示する際、各検査項目のグラフにおける変化点のみにデータラベルを付して表示させることを特徴とする。
【００１８】
本発明の検査データ表示制御プログラムは、コンピュータを、時系列で取得された複数の検査項目の検査データを取得する検査データ取得部と、検査データ取得部によって取得された各検査項目の検査データをグラフ表示させる表示制御部として機能させる検査データ表示制御プログラムであって、表示制御部が、各検査項目のグラフにおける変化点のみにデータラベルを付して表示させるものであることを特徴とする。
【発明の効果】
【００１９】
本発明の検査データ表示制御装置および方法並びにプログラムによれば、複数の検査項目の検査データのグラフに対して、検査データの数値などのデータラベルを付して表示する際、各検査項目のグラフにおける変化点のみにデータラベルを付して表示させるようにしたので、データラベルの数値やグラフ自体を見難くすることなく、かつ重要なデータラベルを付することができる。
【図面の簡単な説明】
【００２０】
【図１】本発明の検査データ表示制御装置の一実施形態を用いた診療情報表示システムの概略構成を示すブロック図
【図２】診療情報表示画面の一例を示す図
【図３】複数の検査項目のグラフの全ての検査データに対してデータラベルを付した例を示す図
【図４】本発明の第１の実施形態のデータラベルの表示方法の一例を示す図
【図５】本発明の第２の実施形態のデータラベルの表示表法の一例を示す図
【図６】本発明の第３の実施形態のデータラベルの表示方法の一例を示す図
【図７】第１の実施形態における変化点と第２の実施形態における変化点とのみにデータラベルを付した例を示す図
【発明を実施するための形態】
【００２１】
以下、本発明の検査データ表示制御装置および方法並びにプログラムの第１の実施形態を用いた診療情報表示システムについて、図面を参照しながら詳細に説明する。図１は、本実施形態の診療情報表示システム１の概略構成を示すブロック図である。
【００２２】
本実施形態の診療情報表示システム１は、図１に示すように、診療情報表示制御装置１０と、診療科端末２０と、電子カルテシステム３０と、検査部門システム４０と、画像診断システム５０とを備えている。
【００２３】
診療情報表示システム１における診療情報表示制御装置１０と、診療科端末２０と、各システム３０〜５０とは、たとえば有線または無線ＬＡＮや、インターネット回線などのネットワークを介して接続されている。
【００２４】
まず、診療情報表示制御装置１０について説明する。なお、診療情報表示制御システムは、本発明の検査データ表示制御装置の一実施形態を含むものである。
【００２５】
診療情報表示制御装置１０は、診療科端末２０において入力された患者の識別情報を受け付け、その患者に関する診療情報を電子カルテシステム３０、検査部門システム４０および画像診断システム５０からそれぞれ収集し、その収集した情報を統合した診療情報表示画面を生成して診療科端末２０に表示させるものである。
【００２６】
具体的には、診療情報表示制御装置１０は、図１に示すように、診療情報取得部１１（検査データ取得部を相当する）と、診療情報記憶部１２と、表示制御部１３と、表示期間指定受付部１４とを備えている。
【００２７】
診療情報表示制御装置１０は、コンピュータに本発明の検査データ表示制御プログラムの一実施形態を含む診療情報表示制御プログラムをインストールしたものである。そして、中央処理装置（ＣＰＵ）によって上記診療情報表示制御プログラムが実行されることによって上述した診療情報取得部１１、表示制御部１３および表示期間指定受付部１４が機能する。上記診療情報表示制御プログラムは、ＣＤ−ＲＯＭなどの記録媒体に記録されたものでもよいし、インターネットを経由してサーバなどからダウンロードしたものでもよい。
【００２８】
診療情報取得部１１は、診療科端末２０において入力された患者の識別情報に基づいて、その患者の識別情報に紐付けされた診療情報をネットワークを介して上記システムの各サーバから取得するものである。診療情報としては、その患者の名前や年齢や性別などといった基本情報、投薬や点滴の情報、検体検査やバイタルなどの種々の検査データ、および画像診療情報などがある。
【００２９】
診療情報取得部１１は、患者の識別情報に基づいて各サーバから収集された診療情報を一旦、診療情報記憶部１２に記憶するものである。診療情報記憶部１２は、ハードディスクなどのストレージデバイスから構成されるものである。
【００３０】
表示制御部１３は、診療情報取得部１１から出力された検査データを含む診療情報に基づいて診療情報表示画面を生成し、その診療情報表示画面を診療科端末２０に出力して表示させるものである。
【００３１】
ここで、表示制御部１３において生成される診療情報表示画面について説明する。図２は、診療情報表示画面の一例を示すものである。
【００３２】
診療情報表示画面は、図２に示すように、基本情報表示欄Ｒ１と、検査期間表示欄Ｒ２と、投薬期間表示欄Ｒ３と、検査データ表示欄Ｒ４と、画像診療情報欄Ｒ５と、投薬リスト表示欄Ｒ６と、検査項目リスト表示欄Ｒ７とを備えている。
【００３３】
基本情報表示欄Ｒ１は、患者の識別情報（患者ＩＤ）、名前、年齢、性別、既往歴などといった基本情報が表示される欄である。また、既往歴については、図２に示すように、各疾患に対してチェックボックスが表示される。そして、このチェックボックスがチェックされることによって注目する疾患が指定され、その疾患に関する検査データや画像診療情報などが表示される。
【００３４】
検査期間表示欄Ｒ２は、患者の検査期間などを表示する欄であり、患者が検査を受けた期間が横棒グラフで表示される。投薬期間表示欄Ｒ３は、患者に対して投薬や点滴が行われた期間を表示する欄であり、患者が投薬や点滴を受けた期間が横棒グラフで表示される。
【００３５】
検査データ表示欄Ｒ４は、時系列に取得された複数の検査項目の検査データが折れ線グラフで表示される欄である。検査データ表示欄Ｒ４の横軸は時間軸であり、縦軸は検査データの数値を示す軸である。
【００３６】
また、図２においては図示省略しているが、表示制御部１３は、検査データ表示欄Ｒ４内に表示される各検査項目のグラフに対して、その変化点のみにデータラベルを付して表示させるものである。なお、この変化点に対するデータラベルの表示については、後で詳述する。
【００３７】
画像診療情報欄Ｒ５は、患者の画像診療情報を表示する欄である。具体的には、患者をＣＴ装置やＭＲＩ装置で撮影した画像のサムネイル画像が表示される。このサムネイル画像がクリックなどされて選択された際には、サムネイル画像の元の原画像が別の表示画面で表示され、また、その原画像に関する読影レポートも表示される。
【００３８】
投薬リスト表示欄Ｒ６は、投薬期間表示欄Ｒ３に表示された各投薬期間において投薬や点滴された薬剤の種類がリスト表示される欄である。投薬リスト表示欄Ｒ６には、薬剤がリスト表示されるとともに、各薬剤に対してチェックボックスが表示される。そして、このチェックボックスがチェックされた薬剤の投薬期間が、投薬期間表示欄Ｒ３において強調表示される。具体的には、たとえばチェックボックスでチェックされた薬剤の投薬期間がカラー表示され、チェックされていない薬剤の投薬期間は目立たないように薄いグレーなどで表示される。
【００３９】
検査項目リスト表示欄Ｒ７は、検査データ表示欄Ｒ４に表示された検査データの検査項目がリスト表示される欄である。検査項目リスト表示欄Ｒ７には、検査項目がリスト表示されるとともに、その各検査項目に対してチェックボックスが表示される。そして、このチェックボックスがチェックされた検査項目の検査データが、検査データ表示欄Ｒ４において強調表示される。具体的には、たとえばチェックボックスでチェックされた検査項目の検査データがカラー表示され、チェックされていない検査項目の検査データは目立たないように薄いグレーなどで表示される。
【００４０】
図１に戻り、表示期間指定受付部１４は、表示する検査データの表示期間の指定を付け付け、その表示期間の情報を診療情報取得部１１に出力するものである。表示期間とは、医師などが特に注目して観察したい検査データの表示期間であって、たとえば表示開始日の日付と表示終了日の日付とが入力され、表示開始日と表示終了日の間の期間が表示期間となり、この表示期間の検査データが表示対象の検査データとなる。また、日付を指定するのではなく、表示開始月と表示終了月とを指定するようにしてもよい。
【００４１】
そして、上述した診療情報取得部１１は、入力された表示期間の情報に基づいて、検査データ保管サーバ４１に保管されている検査データから上記表示期間内の検査データを取得し、その取得した検査データを表示制御部１３に出力するものである。
【００４２】
表示制御部１３は、入力された検査データと指定された表示期間とに基づいて、上述した検査データ表示欄Ｒ４内の横軸の表示期間を変更してグラフ表示するものである。
【００４３】
診療科端末２０は、ディスプレイとキーボードおよびマウスなどを備えたものである。診療科端末２０のディスプレイは、図２に示す診療情報表示画面を表示するものである。また、診療科端末２０のキーボードおよびマウスは、患者の識別情報の入力や、上述した検査データの表示期間の入力や、上述したチェックボックスの指定入力などを受け付けるものである。
【００４４】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および点滴の薬剤の種類や投薬期間、既往歴などの情報が含まれている。
【００４５】
検査部門システム４０は、複数の患者の検査データを管理するシステムである。検査部門システム４０は、検査データ保管サーバ４１を備えており、この検査データ保管サーバ４１には、各患者の複数の検査項目の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。
【００４６】
画像診断システム５０は、複数の患者の画像診療情報を管理するシステムである。画像診断システム５０は、画像管理サーバ５１と、読影レポートサーバ５２とを備えている。画像管理サーバ５１には、各患者の放射線画像などが患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。画像診断システム５０は、診療科端末２０において入力された患者の識別情報を取得し、その識別情報に紐付けされた放射線画像やその読影レポートを診療情報表示制御装置１０に出力するものである。
【００４７】
次に、本実施形態の診療情報表示システム１の作用について、図３から図７を参照しながら説明する。なお、本実施形態の診療情報表示システム１は、上述した検査データ表示欄Ｒ４内のグラフに付されるデータラベルの表示方法に特徴を有するものであるため、以下、その点を中心に説明する。
【００４８】
上述したように本実施形態の表示制御部１３は、各検査項目のグラフの変化点のみにデータラベルを付して表示するものであるが、まずは、比較および各検査データの値を示すため、図３に検査項目ａ〜ｃの全ての点にデータラベルを付して表示した例を示す。ここでは、データラベルとして検査データの数値を表示している。なお、図３に示す正常範囲とは、検査データとして正常値である範囲を示しており、この正常範囲外の検査データは異常値であるといえる。
【００４９】
図３に示すように、各検査項目のグラフの全ての点にデータラベルを付したのでは、データラベル同士が重なって表示されたりして非常に見難い表示となる。
【００５０】
そこで、本実施形態の表示制御部１３は、各検査項目ａ〜ｃのそれぞれのグラフにおいて、その傾きが正から負または負から正に変化している点を変化点とし、その変化点のみにデータラベルを付する。図４は、上述したようにしてデータラベルを付した例を示すものである。
【００５１】
図４に示すように、検査項目ａのグラフについては、傾きが正から負に変化している変化点Ｐａ１および変化点Ｐａ３と、傾きが負から正に変化している変化点Ｐａ２とに対してのみデータラベルが付されている。また、検査項目ｂのグラフについては、傾きが正から負に変化している変化点Ｐｂ１と、傾きが負から正に変化している変化点Ｐｂ２とに対してのみデータラベルが付されている。また、検査項目ｃのグラフについては、傾きが正から負に変化している変化点Ｐｃ２と、傾きが負から正に変化している変化点Ｐｃ１とに対してのみデータラベルが付されている。
【００５２】
図４に示すように、各グラフの変化点のみにデータラベルを付すことによって非常に見易い表示とすることができるとともに、グラフの傾向が変化する点のデータラベルを確認できるので、診療に必要な情報を得ることができる。
【００５３】
次に、第２の実施形態のデータラベルの表示方法について説明する。第２の実施形態においては、表示制御部１３は、各検査項目ａ〜ｃのそれぞれのグラフにおいて、検査データが異常値から正常値に変化した点または正常値から異常値に変化した点を変化点とし、その変化点のみにデータラベルを付する。図５は、上述したようにしてデータラベルを付した例を示すものである。
【００５４】
図５に示すように、検査項目ａのグラフについては、検査データが正常値から異常値に変化した変化点Ｐａ１と、検査データが異常値から正常値に変化した変化点Ｐａ２とに対してのみデータラベルが付されている。また、検査項目ｂのグラフについては、変化点となる検査データがないのでデータラベルは付されていない。また、検査項目ｃのグラフについては、検査データが正常値から異常値に変化した変化点Ｐｃ２と、検査データが異常値から正常値に変化した変化点Ｐｃ１とに対してのみデータラベルが付されている。
【００５５】
図５に示すように、各グラフの変化点のみにデータラベルを付すことによって非常に見易い表示とすることができるとともに、病気にかかって検査データが異常値となったタイミングや、病気から回復して検査データが正常値となったタイミングなど診療に必要な情報を得ることができる。
【００５６】
次に、第３の実施形態のデータラベルの表示方法について説明する。第３の実施形態においては、表示制御部１３は、各検査項目ａ〜ｃのそれぞれのグラフにおいて、検査データの変化量が予め設定された閾値より大きく変化した点を変化点とし、その変化点のみにデータラベルを付する。図６は、上記閾値を１００としてデータラベルを付した例を示すものである。
【００５７】
図６に示すように、検査項目ａのグラフについては、検査データが６８３から５５１（−１３２）に変化した変化点Ｐａ１および変化点Ｐａ２と、検査データが５０２から８８１（＋３０９）に変化した変化点Ｐａ３および変化点Ｐａ４と、検査データが７５５から６５１（−１０４）に変化した変化点Ｐａ５および変化点Ｐａ６に対してのみデータラベルが付されている。なお、検査項目ｂのグラフと検査項目ｃのグラフについては、変化量が１００を超える変化点は存在しないのでデータラベルは付されていない。
【００５８】
図６に示すように、各グラフの変化点のみにデータラベルを付すことによって非常に見易い表示とすることができるとともに、急激に検査データが変化したタイミングやその変化量など診療に必要な情報を得ることができる。
【００５９】
なお、上記第３の実施形態の説明では、閾値を１００としたが、これに限らず、閾値はユーザによって任意に設定可能である。また、各検査項目についてそれぞれ閾値を別個に設定できるようにしてもよい。
【００６０】
また、上記第１〜第３の実施形態のうちの少なくとも２つの実施形態の変化点を組み合わせ、その組み合わせた変化点のみにデータラベルを付するようにしてもよい。図７は、上記第１の実施形態における変化点と第２の実施形態における変化点とのみにデータラベルを付した例である。図７に示すように、検査項目ａのグラフについては、変化点Ｐａ１〜Ｐａ５までの５つの変化点にデータラベルが付され、検査項目ｂのグラフについては、変化点Ｐｂ１および変化点Ｐｂ２の２つの変化点にデータラベルが付され、検査項目ｃのグラフについては、変化点Ｐｃ１〜変化点Ｐｃ４までの４つの変化点にデータラベルが付されている。
【００６１】
なお、上述した第１〜第３の実施形態の組み合わせについては、ユーザが任意の組み合わせを設定可能である。また、第１〜第３の実施形態の変化点のうちのいずれかをユーザが選択可能とし、その選択された変化点のみにデータラベルを付するようにしてもよい。
【００６２】
また、上記第１〜第３の実施形態における変化点が多い場合には、さらにその変化点のうちの異常値の検査データのみにデータラベルを付するようにしてもよい。
【００６３】
また、上記第１〜第３の実施形態のように変化点を設定した場合、変化点がゼロという場合もあり、データレベルが全く付されないことになるので、これを回避するため、上記第１〜第３の実施形態における変化点に加えて、さらに各検査項目のグラフの最大値、最小値およびそのグラフの端点のうちの少なくとも１つの点にデータラベルを付するようにしてもよい。
【００６４】
また、上記実施形態においては、データラベルとして検査データの数値を付するようにしたが、これに限らず、たとえば変化点に対して変化点以外の点とは異なる色のマークをデータラベルとして付するようにしてもよい。この場合、変化点の変量に応じて異なる色のマークを付するようにしてもよい。たとえば、第１の実施形態において、傾きの変化量に応じて異なる色のマークを付したり、また、第２の実施形態において、正常値の上限または下限と異常値の検査データとの差に応じて異なる色のマークを付するようにしてもよい。また、第３の実施形態において、検査データの変化量に応じて異なる色のマークを付するようにしてもよい。また、データラベルとしては、これに限らず、その他の記号や、ユーザによって自由に定義されるキーワードなどをデータラベルとして付するようにしてもよい。
【符号の説明】
【００６５】
１     診療情報表示システム
１０   診療情報表示制御装置
１１   診療情報取得部
１２   診療情報記憶部
１３   表示制御部
１４   表示期間指定受付部
２０   診療科端末
３０   電子カルテシステム
３１   電子カルテ保管サーバ
４０   検査部門システム
４１   検査データ保管サーバ
５０   画像診断システム
５１   画像管理サーバ
５２   読影レポートサーバ
【図１】
2014194712.tif 000003
【図３】
2014194712.tif 000004
【図４】
2014194712.tif 000005
【図５】
2014194712.tif 000006
【図６】
2014194712.tif 000007
【図７】
2014194712.tif 000008
【図２】
2014194712.tif 000009